(57)【要約】      （修正有）【課題】構造の複雑化を伴うことなく、ストレインリリーフの係止状態の安定性を確保する。【解決手段】ストレインリリーフ６０が第１、第２カバー６１、６２で構成され、第１、第２カバー６１、６２間に、ハウジングから引き出された電線１００が配索される配索空間５８を有している。第１、第２カバー６１、６２は、配索空間５８を挟んだ両側に第１、第２ロック部７６、４４を有し、第１、第２ロック部７６、４４が互いに係止し合うことにより、第１、第２カバー６１、６２が保持される。第１ロック部７６は、配索空間５８を臨む位置に起立する内壁７４を有する。第２カバー６２は、前後方向と交差する方向に傾斜して配索空間５８を覆う被覆壁４３を有する。被覆壁４３は、内壁７４の内側で内壁７４と当接可能に配置される。【選択図】図５
2017073301.tif 000002
【特許請求の範囲】
【請求項１】
電線に接続される端子金具と、
前記端子金具が収容され、後方に電線が引き出されるハウジングと、
前記ハウジングに装着され、前記電線を前後方向と交差する方向に屈曲して保持するストレインリリーフとを備え、
前記ストレインリリーフは、第１、第２カバーで構成され、前記第１、第２カバー間に、前記電線が配索される配索空間を有しており、
前記第１、第２カバーは、前記配索空間を挟んだ両側に第１、第２ロック部を有し、前記第１、第２ロック部が互いに係止し合うことにより、前記第１、第２カバーが保持されるものであり、
前記第１ロック部は、前記配索空間を臨む位置に起立する内壁を有し、前記第２カバーは、前後方向と交差する方向に傾斜して前記配索空間を覆う被覆壁を有し、前記被覆壁は、前記内壁の内側で前記内壁と当接可能に配置されることを特徴とするコネクタ。
【請求項２】
前記第１、第２カバーの少なくとも一方は、前記配索空間を挟んだ両側の前記内壁間にて前記配索空間を覆うように配置され、前記内壁側との間に切れ目を有して撓み変形可能な湾曲部を有していることを特徴とする請求項１記載のコネクタ。
【発明の詳細な説明】
【技術分野】
【０００１】
本発明は、コネクタに関する。
【背景技術】
【０００２】
特許文献１に開示されたコネクタ（ジャックコネクタ）は、ハウジング（ジャックコネクタ本体）と、ハウジングに装着されるカバーと、カバーに係止される第１、第２のストレインリリーフとを備えている。第１、第２のストレインリリーフがカバーに係止されると、第１、第２のストレインリリーフ間に、ハウジングの後面から引き出された複数の電線（信号線）が屈曲して保持されるようになっている。ここで、第１、第２のストレインリリーフ間に各電線が屈曲保持されることにより、各電線が振動や引っ張りの外力を受けたときに、ハウジング内の端子接続箇所に過大な応力が生じるのを防止することができるようになっている。
【先行技術文献】
【特許文献】
【０００３】
【特許文献１】特開平１０−１３４８９１号公報
【発明の概要】
【発明が解決しようとする課題】
【０００４】
上記の場合、第１、第２のストレインリリーフがカバーを介して係止し合う構造であるため、カバーの分、部品点数が増加することなる。一方、第１、第２のストレインリリーフが互いに直接係止し合う構造であれば、カバーを省略することができて、部品点数を削減することができる。この場合、仮に、第１、第２のストレインリリーフがそれぞれ第１、第２ロック部を有し、第１、第２ロック部のうちの一部が最も内側に内壁を有する構造にすると、内壁が外力を受けて内側に倒れるおそれがある。そうすると、第１、第２ロック部の係止状態の安定性に欠ける懸念があるのに加え、電線の配索空間が狭まるという事情がある。これに対し、内壁の内倒れを防止する専用の壁を設けると、その分、構造が複雑になるという問題がある。
【０００５】
本発明は上記のような事情に基づいて完成されたものであって、構造の複雑化を伴うことなく、ストレインリリーフの係止状態の安定性を確保することを目的とする。
【課題を解決するための手段】
【０００６】
本発明のコネクタは、電線に接続される端子金具と、前記端子金具が収容され、後方に電線が引き出されるハウジングと、前記ハウジングに装着され、前記電線を前後方向と交差する方向に屈曲して保持するストレインリリーフとを備え、前記ストレインリリーフは、第１、第２カバーで構成され、前記第１、第２カバー間に、前記電線が配索される配索空間を有しており、前記第１、第２カバーは、前記配索空間を挟んだ両側に第１、第２ロック部を有し、前記第１、第２ロック部が互いに係止し合うことにより、前記第１、第２カバーが保持されるものであり、前記第１ロック部は、前記配索空間を臨む位置に起立する内壁を有し、前記第２カバーは、前後方向と交差する方向に傾斜して前記配索空間を覆う被覆壁を有し、前記被覆壁は、前記内壁の内側で前記内壁と当接可能に配置されるところに特徴を有する。
【発明の効果】
【０００７】
被覆壁が内壁の内側で内壁と当接可能に配置されることにより、内壁の内倒れが規制され、第１、第２ロック部の係止状態の安定性を確保することができる。また、被覆壁が前後方向と交差する方向に傾斜して電線の配索空間を覆う部分であるから、内壁の内倒れを規制する専用の構造を設ける必要がなく、構造の複雑化を伴うことがない。
【図面の簡単な説明】
【０００８】
【図１】本発明の実施例１に係るコネクタの斜視図である。
【図２】コネクタの側面図である。
【図３】コネクタの側面視方向の断面図である。
【図４】コネクタの平面図である。
【図５】図４のＡ−Ａ線断面図である。
【図６】コネクタの底面図である。
【図７】図６のＢ−Ｂ線断面図である。
【図８】第２カバーの側面図である。
【図９】第２カバーの底面図である。
【図１０】第１カバーの側面図である。
【図１１】第１カバーの平面図である。
【図１２】実施例２の図５相当図である。
【発明を実施するための形態】
【０００９】
本発明の好ましい実施形態を以下に示す。
前記第１、第２カバーの少なくとも一方は、前記配索空間を挟んだ両側の前記内壁間にて前記配索空間を覆うように配置され、前記内壁側との間に切れ目を有して撓み変形可能な湾曲部を有している。このように湾曲部が撓み変形することにより、電線径の変更等に柔軟に対応することができる。
【００１０】
＜実施例１＞
以下、実施例１を図１〜図１１に基づいて説明する。実施例１に係るコネクタは、複数の端子金具９０と、各端子金具９０を収容可能なハウジング１０と、ハウジング１０に装着されるストレインリリーフ６０とを備えている。ハウジング１０は、相手ハウジング８０に嵌合可能とされている。なお、以下の説明において、前後方向については、ハウジング１０が嵌合開始時に相手ハウジング８０と向き合う面側を前側とする。上下方向は、図４、図６、図９及び図１１を除く各図を基準とする。
【００１１】
相手ハウジング８０は合成樹脂製であって、図３に示すように、筒状のフード部８１を有している。フード部８１の上壁には係止突起８２が設けられている。また、フード部８１内には、相手端子金具８５の雄タブ８６が突出して配置されている。
【００１２】
端子金具９０は金属製の板材を曲げ加工等することで形成され、図３に示すように、前後方向に細長い形態になっている。具体的には端子金具９０は、前端部に相手側の雄タブ８６が挿入接続される筒状の接続部９１を有し、後端部に電線１００の端末部及びゴム栓１２０が圧着により接続されるバレル部９２を有している。
【００１３】
ハウジング１０は合成樹脂製であって、図３に示すように、全体として幅方向に扁平なブロック状のインナハウジング１１と、インナハウジング１１とは別体であってインナハウジング１１の外周を取り囲む筒状のアウタハウジング１２とからなる。
【００１４】
インナハウジング１１とアウタハウジング１２との間には、嵌合空間１３が前方に開放して形成されている。嵌合空間１３には、相手ハウジング８０のフード部８１が進入して嵌合可能とされている。インナハウジング１１の外周面には、シールリング１４が嵌着されている。ハウジング１０が相手ハウジング８０に嵌合されると、フード部８１とインナハウジング１１とにシールリング１４が弾性的に密着し、両ハウジング１０、８０が液密にシールされる。
【００１５】
インナハウジング１１の上方には、前後方向に延出する板状のロックアーム１５が撓み変形可能に設けられている。ロックアーム１５には、係止孔１６が設けられている。ロックアーム１５の係止孔１６にフード部８１の係止突起８２が弾性的に嵌ることにより、ハウジング１０が相手ハウジング８０と嵌合状態に保持されるようになっている。
【００１６】
図１及び図４に示すように、アウタハウジング１２の後部には、左右一対の側壁１７が上下方向に起立して設けられている。上記のロックアーム１５は、両側壁１７間を通して上方から視認可能とされている。両側壁１７には、図１及び図２に示すように、係合孔１８が貫通して設けられている。また、インナハウジング１１の左右両側面には、係合孔１８と対応する位置に係合突起１９が設けられている。アウタハウジング１２の係合孔１８にインナハウジング１１の係合突起１９が弾性的に嵌ることにより、インナハウジング１１がアウタハウジング１２に対し若干の遊動が許容された状態で取り付けられる。
【００１７】
図３に示すように、インナハウジング１１には、キャビティ２１が設けられている。キャビティ２１は、左右方向に複数並列に配置されている。各キャビティ２１の下面には、ランス２２が前方に片持ち状に突出して設けられている。図１に示すように、インナハウジング１１の下面前端部は、切欠領域２３として開放され、この切欠領域２３に、後述するフロントリテーナ２４が装着される前、ランス２２が露出して配置されている。
【００１８】
端子金具９０は、後方からキャビティ２１に挿入され、ランス２２によって弾性的に抜け止めされてインナハウジング１１に保持される。端子金具９０がキャビティ２１に挿入されるに伴い、ゴム栓１２０がキャビティ２１の後端部に液密に挿入される。また、インナハウジング１１には前方からフロントリテーナ２４が装着され、フロントリテーナ２４が切欠領域２３に進入することでランス２２の撓み動作が規制される。これにより、端子金具９０が二次的に抜け止めされた状態になる。
【００１９】
続いて、ストレインリリーフ６０について説明する。ストレインリリーフ６０は合成樹脂製であって、下側に位置する第１カバー６１と、上側に位置する第２カバー６２からなり、第１カバー６１に上方から第２カバー６２が被さるようにして組み付けられる。
【００２０】
図１１に示すように、第１カバー６１は、底壁６３と、底壁６３の左右両端から起立する一対の起立壁６４と、底壁６３の後端から後方に突出する取付部６５とから一体に構成されている。
底壁６３は、前端から後端部に至るまではほぼ一定の幅寸法（左右寸法）で形成され、後端部が、後方へ向けて次第に幅寸法を狭める形態になっている。底壁６３の中央部（外周縁部を除く部分）には、図３に示すように、側断面形状が上方へ山型に湾曲した第１湾曲部６６が設けられている。第１湾曲部６６は、前後方向略中央部に位置する凸曲面状の第１頂部６７と、第１頂部６７から前方へ下り勾配で傾斜する第１前方領域６８と、第１頂部６７から後方へ同じく下り勾配で傾斜する第１後方領域６９とを有している。第１後方領域６９は、前側が第１前方領域６８よりも緩い傾斜角で構成され、後側が第１前方領域６８よりも急な傾斜角で構成されている。図６に示すように、第１湾曲部６６は、底壁６３の外周縁部に対して第１連結壁７１を介して一体に連結されている。
【００２１】
図３及び図１１に示すように、第１湾曲部６６の上面には、前後方向に間隔をあけて複数の第１突条７２が設けられている。第１突条７２は、左右方向に細長く延出する形状をなし、第１前方領域６８と第１後方領域６９とにそれぞれ設けられている。
【００２２】
図１１に示すように、一対の起立壁６４は、前端部に厚肉の装着壁７３を有し、後部に薄肉の内壁７４及び外壁７５を有している。内壁７４及び外壁７５は、第２カバー６２の後述する第２ロック部４４に係止可能な第１ロック部７６として構成される。装着壁７３は、全体として前後方向に沿った縦壁状をなし、撓み動作が実質的に規制された形態になっている。装着壁７３の内面後端部には、凹溝７７が上下方向に延出して設けられている。また、装着壁７３の後端は、凹溝７７の後端を区画しつつ左右方向に沿って配置される中壁部７８として構成される。装着壁７３の内面のうち、凹溝７７よりも前方の部分には、上下方向に細長く延出するリブ７９が設けられている。両装着壁７３は、底壁６３の前端部とともにアウタハウジング１２の後端部に取り付けられる。このとき、リブ７９がアウタハウジング１２の側壁１７の外面に緊密に当接することにより、第１カバー６１とアウタハウジング１２との間のガタ付きを抑えることが可能となっている。
【００２３】
図１１に示すように、内壁７４は、前端が中壁部７８の内側に一体に連結され、底壁６３の側縁に沿うように前後方向に延出したあと後端部が後方へ向けて内側に屈曲する形態になっている。内壁７４の後端部は、内壁７４の他の部分よりも厚肉に形成されている。内壁７４の後端部と底壁６３の後端部との間において幅狭に形成される空間は、インナハウジング１１からの電線１００が導出される電線導出口３１として構成される。
【００２４】
外壁７５は、全体として前後方向に沿った板状をなし、内壁７４との間に一定間隔をあけつつ内壁７４の外側に対向して配置されている。外壁７５と内壁７４との間には、第２ロック部４４が進入する進入空間３２が上方に開放して形成されている。外壁７５、内壁７４及び進入空間３２は、中壁部７８（装着壁７３の最大厚み部分）の左右方向の厚み範囲に形成されている。
【００２５】
また、外壁７５は、底壁６３の側縁に連結される部位を支点として内外に撓み変形可能とされている。外壁７５の上端縁には、前後両縁から内側縁にかけて傾斜面３３が面取りされて形成されている。外壁７５には、側面視矩形のロック孔３４が貫通して設けられている。外壁７５は、ロック孔３４を区画することで門型枠状をなしている。
【００２６】
図７及び図１１に示すように、取付部６５は、底壁６３の後端に一体に連結された板状の基部３５と、基部３５の図示向かって右側（幅方向一側）の領域から上方に突出する突部３６とからなり、全体として断面略Ｌ字形に形成されている。突部３６は、内壁７４の後端部にも一体に連結されている。
【００２７】
図７に示すように、取付部６５には、複数の電線１００を結束して固定する固定具としてのタイバンド２００が取り付けられる。タイバンド２００は、合成樹脂製であって、角箱状の頭部２１０と、頭部２１０から細長く延出する帯状のバンド本体２２０とからなる。本実施例１の場合、公知のタイバンド２００を用いることができる。
【００２８】
基部３５の上面は、底壁６３の外周縁部（第１湾曲部６６を除く部分）の上面に連なる左右方向に平坦な電線支持面３７とされている。電線支持面３７には、電線導出口３１から導出された複数本の電線１００が横並びで載置されて支持される。基部３５の下面には、湾曲突状の周回ガイド部３８が設けられている。タイバンド２００のバンド本体２２０は、周回ガイド部３８の弧状面に沿って巻き付けられるようになっている。
【００２９】
図７に示すように、突部３６は、略角ブロック状をなし、基部３５にも跨って上下方向に貫通する挿通孔３９を有している。突部３６の両側面のうち、電線支持面３７の側縁に連なる面は、上下方向に平坦な規制面４１とされている。規制面４１は、下端が電線支持面３７とほぼ直角に交差し、上端が後述する頭部支持面４２とほぼ直角に交差している。電線支持面３７に横並びで支持される複数の電線１００のうち、端部に位置する電線１００Ａは、突部３６の規制面４１に当接することによって左右方向（横方向）の動きが規制され、他の電線１００ともども左右方向に位置決めされるようになっている。
【００３０】
突部３６の上面は、左右方向に平坦な頭部支持面４２とされている。頭部支持面４２は、電線支持面３７よりも一段高い位置に配置されている。タイバンド２００は、頭部２１０が頭部支持面４２に支持された状態で、バンド本体２２０が挿通孔３９に挿通されたあと基部３５の下面から各電線１００の上面に亘って周回され、さらにバンド本体２２０の先端部が頭部２１０に挿入係止されることで、取付部６５に取り付けられる。
【００３１】
図９に示すように、第２カバー６２は、被覆壁４３と、被覆壁４３の左右両端から垂下する一対の第２ロック部４４とから一体に構成されている。
被覆壁４３は、底壁６３と対向して配置され、平面視において底壁６３と概ね同様の形状をなしている。このため、被覆壁４３の後端部は、後方へ向けて次第に幅狭になっている。図３及び図４に示すように、被覆壁４３は後端側の一部を除いて取付部６５よりも前方に位置し、被覆壁４３の後方にはタイバンド２００の取付部６５への取り付けを行うための空間が確保されている。
【００３２】
被覆壁４３の中央部（外周縁部を除く部分）には、図３に示すように、側断面形状が前後方向に沿って波形に湾曲した第２湾曲部４５が設けられている。第２湾曲部４５は、前後方向略中央部に位置する凸曲面状の第２頂部４６と、第２頂部４６から前方へ下り勾配で傾斜する第２前方領域４７と、第２頂部４６から後方へ下り勾配で傾斜する第２後方領域４８とを有している。第２前方領域４７の傾斜角（前後方向に対する傾斜角）は第１前方領域６８の傾斜角とほぼ同一であり、第２後方領域４８の傾斜角は第１後方領域６９の傾斜角とほぼ同一である。また、第１、第２頂部６７、４６は、前後方向に関してほぼ同一位置に配置される。つまり、第１、第２湾曲部６６、４５同士は互いにほぼ平行な位置関係にある。ここで、第１、第２湾曲部６６、４５間は、電線１００を前後方向と交差する方向に屈曲（蛇行）して保持する配索空間５８として構成される。
【００３３】
また、図４に示すように、第２湾曲部４５は、被覆壁４３の外周縁部に対して第２連結壁４９を介して一体に連結されている。図３及び図９に示すように、第２湾曲部４５の下面には、前後方向に間隔をあけて複数の第２突条５１が設けられている。第２突条５１は、左右方向に細長く延出する形状をなし、第２前方領域４７と第２後方領域４８とにそれぞれ設けられ、且つ第１突条７２とは異なる前後位置に配置されている。
【００３４】
図９に示すように、被覆壁４３の下面前端部のうち、第２前方領域４７の前端部を挟んだ左右両側には、一対のガイド部５２が突出して設けられている。ガイド部５２が凹溝７７に嵌合状態で挿入されることにより、第１、第２カバー６１、６２の組み付け動作がガイドされ、且つ第１、第２カバー６１、６２の相互の位置決めがなされる。
【００３５】
第２ロック部４４は、被覆壁４３の側縁部に沿うように前後方向に延出したあと後端部が後方へ向けて内側に屈曲する形態とされ、図１１に示すように、起立壁６４の進入空間３２に嵌合可能とされている。第２ロック部４４の前部（前後方向に沿う部分）には、外面に側面視矩形の凹所５３が凹み形成されることで薄肉となるロック片部５４が撓み変形可能に設けられている。図５に示すように、凹所５３には、外壁７５が嵌合可能とされている。ロック片部５４の外面（凹所５３の奥面）には、外壁７５のロック孔３４に嵌合して係止可能な爪状のロック突起５５が設けられている。ロック突起５５は凹所５３の深さ内に形成されている。
【００３６】
図５に示すように、被覆壁４３における第２ロック部４４と第２湾曲部４５との間の領域には、被覆壁４３の外周縁部と第２連結壁４９とに跨って、内壁７４の上端部を嵌合状態で挿入可能な断面角凹状の規制溝５６が設けられている。規制溝５６は、第２ロック部４４の前後方向の全長に亘って延出し、被覆壁４３の外周縁部から第２湾曲部４５（第２前方領域４７、第２頂部４６、第２後方領域４８）までの落差に相当する深さを有している。規制溝５６の左右の溝面は、上下方向に沿って配置され、このうち、内壁７４に臨む溝面は、内壁７４の内倒れを規制する押さえ面５７として機能する。
【００３７】
次に、本実施例１の作用効果を説明する。
組み付けに際し、インナハウジング１１から延出する各電線１００を、ストレインリリーフ６０の第１カバー６１の電線導出口３１を通して外部に導出させる。続いて、第１カバー６１に上方から第２カバー６２を組み付ける。組み付けの過程では、第２カバー６２のガイド部５２が凹溝７７に挿入されてガイドされるとともに、第２カバー６２の第２ロック部４４が第１カバー６１の進入空間３２に嵌合状態で進入する。すると、第２ロック部４４のロック突起５５が第１ロック部７６の外壁７５の傾斜面３３を摺動し、外壁７５が外側に撓み変形させられる。その後、外壁７５が弾性復帰して、ロック突起５５がロック孔３４に嵌り込むことにより、図５に示すように、第２ロック部４４が第１ロック部７６に係止され、第１、第２カバー６１、６２が組み付け状態に保持される。なお、外壁７５の外面は、第２ロック部４４の外面における凹所５３の開口縁部とほぼ面一に連続し、第２ロック部４４の外面から突出することはない。
【００３８】
また、第１、第２カバー６１、６２の組み付けが完了する直前に、第２カバー６２の被覆壁４３の規制溝５６に内壁７４の上端部が嵌り込み、内壁７４の左右方向の動きが規制される。とくに、内壁７４は、外側にロック片部５４が位置することから、ロック片部５４に押されて内側に倒れやすいという事情があり、規制溝５６の押さえ面５７に内壁７４の上端部が当接することで、内壁７４の内倒れを規制することができるメリットが大きい。また、第２湾曲部４５が第１湾曲部６６との間に電線１００の配索空間５８を構成するべく被覆壁４３の外周縁部から落差をもって形成され、その落差を利用して規制溝５６が形成されるため、規制溝５６のための特別な構造が新設されるわけではなく、全体の構造を簡素化することができる。なお、第１、第２カバー６１、６２が組み付けられた後も内壁７４の上端部が規制溝５６に嵌合されて内倒れが規制される状態が維持される。
【００３９】
第１、第２カバー６１、６２が組み付けられると、図３に示すように、インナハウジング１１の後面から延出する各電線１００が第１、第２湾曲部６６、４５間の配索空間５８に略Ｓ字状に屈曲した状態で配索される。このため、各電線１００のうちの電線導出口３１から導出される部分に振動や引っ張り等の外力が作用しても、第１、第２湾曲部６６、４５間の配索空間５８で電線１００が遊動するのを抑えることができる。その結果、キャビティ２１の内周面とゴム栓１２０との密着状態が良好に維持されてシール性を確保することができるとともに、両ハウジング１０、８０の嵌合後は端子金具９０と相手端子金具８５との接続状態が良好に維持されて接続安定性を確保することができる。とくに、本実施例１の場合、第１、第２湾曲部６６、４５にそれぞれ設けられた複数の第１、第２突条７２、５１が電線１００の外周面に第１、第２突条７２、５１が食い込むように緊密に当接することにより、電線１００が配索空間５８で前後方向に位置ずれするのを確実に抑えることができる。
【００４０】
また、第１、第２カバー６１、６２が組み付けられると、各電線１００の導出部分が配索空間５８からストレインリリーフ６０の電線導出口３１を経て取付部６５の電線支持面３７にほぼ横並びで載せられる。ここで、取付部６５には、上述した第１、第２カバー６１、６２の組み付け作業と前後し、図７に示すように、タイバンド２００が取り付けられる。タイバンド２００は、頭部支持面４２に頭部２１０を載置させるとともにバンド本体２２０を挿通孔３９に通した状態で、取付部６５に仮止め状態で保持される。
【００４１】
続いて、取付部６５の挿通孔３９の下端開口から延出するバンド本体２２０が周回ガイド部３８を経由して基部３５から各電線１００の上端にかけて周回され、バンド本体２２０の先端部が頭部２１０に挿通されて係止される。これにより、バンド本体２２０が基部３５から各電線１００に跨って巻き付けられ、各電線１００がバンド本体２２０と基部３５との間に横一列に挟持されて固定される。このとき、端部に位置する電線１００Ａが突部３６の規制面４１に当接し、各電線１００の左右方向への位置ずれが規制される。
【００４２】
以上説明したように、本実施例１によれば、ストレインリリーフ６０が電線１００を固定するタイバンド２００を取り付けるための取付部６５を一体に有しているから、取付部６５がストレインリリーフ６０とは別に設けられる場合に比べ、部品点数を削減することができる。また、取付部６５の突部３６の上面及び側面（互いに交差する２面）を利用して頭部支持面４２と規制面４１とが効率良く設けられるため、取付部６５の構造を簡素化することができる。
【００４３】
また、図５に示すように、被覆壁４３の規制溝５６の押さえ面５７が内壁７４の内側で内壁７４の上端部と当接可能に配置されることにより、内壁７４の内倒れが規制されるため、第１、第２ロック部７６、４４の係止状態の安定性を確保することができる。この場合に、被覆壁４３が電線１００の配索空間５８を覆う部分であることから、内壁７４の内倒れを規制する専用の構造を設ける必要がなく、構造が複雑になるのを回避することができる。
【００４４】
＜実施例２＞
図１２は、本発明の実施例２を示す。実施例２は、ストレインリリーフ６０Ａの第１カバー６１Ａの構造が実施例１とは異なるが、その他は実施例１とほぼ同様である。このため、以下において、実施例１と同一又は相当する構造には同一符号を付し、重複する説明を省略する。
【００４５】
実施例２の場合、第１カバー６１Ａから第１連結壁７１が省略され、底壁６３の外周縁部及び左右両側に配置された内壁７４と第１湾曲部６６との間に、ほぼ前後方向に沿った切れ目５９が形成されている。第１湾曲部６６は、両脇に切れ目５９が入れられることで、前後両端を支点として上下方向に撓み変形可能となっている。
【００４６】
実施例２によれば、第１、第２湾曲部６６、４５間の配索空間５８に電線１００が挟持されたときに、第１湾曲部６６が撓み変形可能な状態になっているため、第１、第２カバー６１Ａ、６２間の組み付け誤差や寸法誤差を吸収することができる。とくに、電線径が変更された場合にも柔軟に対応することができる。なお、本実施例２の場合、第２カバー６２から第２連結壁４９を省略すると、内壁７４の内倒れを規制する押さえ面５７を形成しにくくなるため、第１カバー６１Ａ側に切れ目５９を形成するのが望ましい。
【００４７】
＜他の実施例＞
以下、他の実施例を簡単に説明する。
（１）上記実施例１、２とは逆に、第１カバーが上側に配置され、第２カバーが下側に配置されていてもよい。また、第１、第２カバーは左右方向に開閉可能に取り付けられるものであってもよい。
（２）取付部は、第２カバーに一体に設けられていてもよい。
（３）被覆壁の押さえ面は、常には内壁と当接せず、内壁が内倒れしようとしたときに内壁と当接するように構成されていてもよい。
（４）実施例２の場合、切れ目は、第２カバーに設けられていてもよく、あるいは第１、第２カバーの双方に設けられていてもよい。なお、切れ目が第２カバーに設けられる場合、第２湾曲部が撓み変形可能となる。
（５）ハウジングは、インナハウジングとアウタハウジングに分離されることなく、一体に構成されていてもよい。
【符号の説明】
【００４８】
１０…ハウジング
３５…基部
３６…突部
３７…電線支持面
４１…規制面
４３…被覆壁
４４…第２ロック部
５８…配索空間
６０、６０Ａ…ストレインリリーフ
６１、６１Ａ…第１カバー
６２…第２カバー
７４…内壁
７６…第１ロック部
９０…端子金具
１００…電線
２００…タイバンド（固定具）
２１０…頭部
【図１】
2017073301.tif 000003
【図２】
2017073301.tif 000004
【図３】
2017073301.tif 000005
【図４】
2017073301.tif 000006
【図５】
2017073301.tif 000007
【図６】
2017073301.tif 000008
【図７】
2017073301.tif 000009
【図８】
2017073301.tif 000010
【図９】
2017073301.tif 000011
【図１０】
2017073301.tif 000012
【図１１】
2017073301.tif 000013
【図１２】
2017073301.tif 000014